(57)【要約】      （修正有）【課題】  蒸気の流通に利用可能な管路の不足を解消し、アイロンがけプレートの放出孔への蒸気の流通を徐々に阻害する、石灰成分スケールの蓄積を防止する。【解決手段】  家庭用スチームアイロンが、アイロンがけ部材、即ちアイロンがけプレートと、蒸発部、即ち蒸発器であって、アイロン内に組み込まれた貯水部から来る水が供給されるものとを備え、更に、アイロンがけプレート中を通り、蒸発器の前部開口を介して、アイロンがけプレートに形成された孔から外部に放出される蒸気を生成する蒸発室を備え、更に、アイロンがけプレート用発熱体及び蒸発器用発熱体と、アイロンがけプレート用自動温度調節器及び蒸発器用自動温度調節器と、アイロンがけプレート用温度ヒューズ及び蒸発器用温度ヒューズとを備え、蒸発室には、蒸発器の前部開口と一対の深い流路を介して連通する後部出口が設けられ、流路は、蒸発器に組み込まれ、蒸発室自体に両側部が沿ってのびる。【選択図】  図１
2005211670.tif 000002
【特許請求の範囲】
【請求項１】
蒸発室と個別の発熱体とを備える、改良された家庭用スチームアイロン、特に、アイロンがけをすべき衣類と接触するものである、アイロンがけ部材、すなわちアイロンがけプレート（１）と、図示していない標準的小型ポンプを備えた家庭用スチームアイロン内に組み込まれた貯水部から来る水が供給される蒸発部、すなわち蒸発器（２）とからなり、さらに、蒸発器（２）の前部開口（４）を介してアイロンがけプレート（１）中を通って、アイロンがけプレート（１）に形成した複数個の孔（１７）を通って外部に放出される蒸気を生成する蒸発室（３）とからなり、さらにまた、アイロンがけプレート（１）及び蒸発器（２）に割り当てられたアイロンがけプレート用発熱体（５）及び蒸発器用発熱体（６）と、アイロンがけプレート（１）用自動温度調節器及び蒸発器（２）用自動温度調節器（１０）と、アイロンがけプレート（１）及び蒸発器（２）に組み付けられたアイロンがけプレート用温度ヒューズ（９）及び蒸発器用温度ヒューズ（１０）とからなる、家庭用スチームアイロンにおいて、前記蒸発室（３）に、一対の深い流路（１２）を介して、前記蒸発器（２）の前部開口（４）と連通する後部出口（１１）が設けられ、これら流路は、前記蒸発器（２）内に組み込まれて、蒸発室（３）自体に対して両側部が沿ってのびることを特徴とする、家庭用スチームアイロン。
【請求項２】
前記蒸発室（３）の後部出口（１１）は、固定された網目部材（１３）により閉じられ、前記前部開口（４）及び前記流路（１２）の通路断面よりも適切に小である網目を備えることを特徴とする、請求項１に記載した、蒸発室を有し、個別の発熱体を備えた、改良された家庭用スチームアイロン。
【請求項３】
前記蒸発器（２）の前部開口（４）が、全体が蒸発器（２）自体内に形成された管体（１４）からなり、管体は、前記アイロンがけプレート（１）中の対応する開口（１５）に挿入され、管体（１４）には、外部に固定された水密ガスケット（１６）が設けられ、ガスケットは、蒸発器（２）とアイロンがけプレート（１）との間で機能し、圧力がかけられた高温下で機能するのに適した材料からなることを特徴とする、請求項１又は２に記載した、蒸発室を有し、個別の発熱体を備えた、改良された家庭用スチームアイロン。
【請求項４】
前記アイロンがけプレート（１）及び前記蒸発器（２）の温度を調節する自動温度調節器は、アイロンがけプレート用の温度センサ（７）及び蒸発器用温度センサ（８）からなることを特徴とする、請求項１乃至３のいずれか１に記載した、蒸発室を有し、個別の発熱体を備えた、改良された家庭用スチームアイロン。
【請求項５】
前記アイロンがけプレート（１）に形成した孔（１７）は、矢じり形状をしたアイロンがけプレート（１）の前部に集中するように少ない数で形成され、アイロンがけプレート（１）の後部に流路（１８）としてのびる通路中に開口する特徴を有することを特徴とする、請求項１乃至４のいずれか１に記載した、蒸発室を有し、個別の発熱体を備えた、改良された家庭用スチームアイロン。
【請求項６】
前記孔（１７）及び前記流路（１８）は、数が７個で、中央の３個の流路（１８）は、アイロンがけプレート（１）の端部から始まる長さの約３分の１まで延び、残りの４個の流路（１８）は、アイロンがけプレート（１）の長さの約４分の１までのびることを特徴とする、請求項５に記載した、蒸発室を有し、個別の発熱体を備えた、改良された家庭用スチームアイロン。
【請求項７】
蒸発室（３）の幅と、前記アイロンがけプレート（１）の幅との比率が、４分の３のオーダーであり、蒸発室（３）の形状が、その両側部が、前記アイロンがけプレート（１）の両側部と平行であることを特徴とする、請求項１乃至６のいずれか１に記載した、蒸発室を有し、個別の発熱体を備えた、改良された家庭用スチームアイロン。
【請求項８】
前記蒸発器（２）の前部開口（４）は、縦方向管体（３ａ）からなり、縦方向管体の反対側端は、前記アイロンがけプレートに形成された形成された拡大室（１ａ）に開口し、縦方向導管は、好ましくはステンレス鋼製の板材（１９）により、下側が密閉され、板材は、アイロンがけをすべき衣類と接触する部材としてアイロンがけプレート（１）の下面を覆うことを特徴とする、請求項７に記載した、蒸発室を有し、個別の発熱体を備えた、改良された家庭用スチームアイロン。
【請求項９】
前記蒸発器（２）の前部開口（４）が、反対側端では閉じられた縦方向導管（３ｂ）からなり、縦方向導管には、前記アイロンがけプレート内に形成された拡大室（１ａ）と連通する、複数個の側部孔（３ｃ）が形成され、縦方向導管は、好ましくはステンレス鋼製の板材（１９）により、下部が閉じられ、板材は、アイロンがけをすべき衣類と接触する部材としてアイロンがけプレート（１）の下面を覆うことを特徴とする、請求項１に記載した、蒸発室を有し、個別の発熱体を備えた、改良された家庭用スチームアイロン。
【請求項１０】
前記蒸発室（３）内には、少なくとも１個の仕切り壁（３ｄ）が設けられ、仕切り壁は、蒸発室の全高さを占め、蒸発室の一方の側壁に付着してはいるが、反対側の側壁に達していないことを特徴とする、請求項１乃至９のいずれか１に記載した、蒸発室を有し、個別の発熱体を備えた、改良された家庭用スチームアイロン。
【発明の詳細な説明】
【技術分野】
【０００１】
本発明は、アイロンがけをすべき衣類と接触するアイロンがけ部材、すなわちアイロンがけプレートと、家庭用スチームアイロンに組み込まれた貯水部から水が供給される蒸発器、すなわち、蒸気生成部であって、蒸気が生成される蒸発室を備え、蒸気は、前部開口を通ってアイロンがけプレートに達し、アイロンがけプレートに設けた複数個の孔を通って放出されるものとからなり、アイロンがけプレートと蒸発器のそれぞれに設けた発熱体であって、アイロンがけプレートと蒸発器の温度を自動温度調節で維持するものを有し、発熱体の各々は、アイロンがけプレートと蒸発器のそれぞれに取り付けた、アイロンがけプレート用温度ヒューズと蒸発器用温度ヒューズとを備える、標準構造の家庭用スチームアイロンのアイロンがけプレートに関する。
【０００２】
本発明は、また、積層化されたステンレス鋼被覆又は他の適切な材料からなり、アイロンがけをすべき衣類と接触する部材であるアイロンがけ部材、すなわちアイロンがけプレートと、家庭用スチームアイロン内に設けられた容器から水が供給される蒸発器、すなわち蒸気生成部とからなり、さらに、この蒸気が生成される蒸発室であって、蒸気は、蒸発室から、蒸発器の前部開口を通ってアイロンがけプレートに達し、アイロンがけプレートに形成した複数個の孔を通って外部に出て行くものと、アイロンがけプレート用発熱体及び蒸発器用発熱体であって、名前の通り、アイロンがけプレートと蒸発器とに割り当てられるものと、アイロンがけプレートと蒸発器の温度の自動温度調節機器と、アイロンがけプレートと蒸発器とにそれぞれ取り付けられた、アイロンがけプレートの温度ヒューズと蒸発器の温度ヒューズとからなる、標準構造の家庭用スチームアイロンのプレートに関する。
【背景技術】
【０００３】
第１世代の家庭用スチームアイロンでは、水を蒸発させるのに必要な熱は、アイロンがけプレートを加熱する役目を担うのと同じ発熱体により生じさせていた。
【０００４】
この種の家庭用スチームアイロンは、１００℃から２００℃の範囲内の温度で作動する。この温度範囲内および１００℃近くでは、蒸気は飽和せず、液体状態と蒸気状態との限界に近く、かなりの部分が、まだ液体状態にあり、蒸気相の部分は、温度の比較的小さな低下があるや否や、直ちに液相に移行するので、「湿り蒸気」と称せられる。逆に、温度が上昇すると、「乾き蒸気」（約１２０℃以上）と称せられる、飽和度が高い水蒸気が得られ、液相部分は、ますます減少し、上述の温度範囲の上限では、蒸気相は、ますます安定化し、液相に戻るには、かなりの温度低下が必要となる。
【０００５】
上述した理由で、実際のアイロンがけでは、上述の温度範囲内の温度で作業する場合には、かなりの「乾き蒸気」が供給され、家庭用スチームアイロン自体の高温は、アイロンがけされる布地に適しており、したがって、衣類が損傷を受けることがないので、現実的な問題はない。
【０００６】
しかしながら、ある種の布地又は繊細な衣類をアイロンがけする場合には、アイロンがけ部材の温度が、上述した温度範囲の下限である必要がある。このアイロンがけ部材と蒸発室とは、１個だけの発熱体で加熱されるので、アイロンがけ作業に利用できる蒸気は、「湿り蒸気」となる。この結果、アイロンがけ中に、衣類を濡らす水滴が発生し、厄介となり、アイロンがけの品質を低下させる。この現象は、アイロンがけ器具の冷却により、器具の蒸気放出孔の周囲で悪化し、放出される蒸気とアイロンがけ部材の温度とが極めて接近するため、冷却は、極めて重大である。
【０００７】
現在、新世代の家庭用スチームアイロンが、知られており、アイロンがけ部材を備える組立て体とは独立して、従来の家庭用スチームアイロンが備えている発熱体と自動温度調節器とを有し、アイロンがけプレート自体には、家庭用スチームアイロンの貯水部に接続された給水流路を備える蒸発室と一体化した自動蒸発器が組み込まれ、アイロンがけプレートの蒸発室は、蒸発室内の温度を調節するそれ自体用の自動温度調節器を備え、自動蒸発器は、アイロンがけプレート内への蒸気用の補助入り口に接続された蒸気出口を備え、蒸気が出口孔に向かって通る正しい流路をもたらす。こうして、蒸気の生成は、アイロンがけプレートとは温度的に独立し、家庭用スチームアイロンには、いずれの温度でも乾き蒸気がもたらされ、水滴効果を改善し、アイロンがけプレートを低温度（ただし、まだ１００℃以上）で使用でき、アイロンがけの品質を向上できる。
【発明の開示】
【発明が解決しようとする課題】
【０００８】
しかしながら、こうした家庭用スチームアイロンでは、修正又は改善すべき問題が残っている。
【０００９】
これらの問題の一つは、蒸気の流通に利用可能な管路の不足、及び／又は蒸気により運ばれる石灰成分残留物用の濾過手段の欠如又は不十分さを原因とする、アイロンがけプレートの放出孔への蒸気の流通を徐々に阻害する、石灰成分スケールを蓄積させる傾向である。
【００１０】
もう一つの問題は、互いに接合された個別の器具である、蒸発器とアイロンがけプレート間での蒸気の流路の分解の仕方にある。この点に関し、真ちゅう製キャップを使用することが知られており、真ちゅう製キャップは、その両端で蒸発器とアイロンがけプレートに同時に取り付けられ、各取り付け箇所では、シリコーン製の環状の周囲ガスケットを組み込まれる。こうした構造では、好ましくないことに、シリコーン製キャップと真ちゅう製キャップとは、不均一に機能する。
【００１１】
もう一つの問題は、アイロンがけプレートと蒸発室の温度制御が、感度が不十分で、反応時間が遅いために、僅かとはいえ、水滴の再発と、アイロンがけが不十分であるとなる、自動温度調節器に頼っていることである。
【００１２】
頻発する別の問題は、アイロンがけプレートに形成した蒸気放出孔が、アイロンがけプレートの両側部に近接していたとしても、アイロンがけプレートの全長に渡って分布していることである。このため、蒸気でのアイロンがけ中に、衣類は、アイロンがけのストローク後、水分を保持することになり、繊細な衣類のアイロンがけの場合には好ましくない。
【００１３】
スペイン特許出願第Ｐ−２００１０２４６９号に開示された発明は、上述した一般的な構造に対応する、家庭用スチームアイロンであり、家庭用スチームアイロンは、蒸発室とプレートとを備え、両者は、図１に示すように、一方において、前者の幅が、後者の幅の約半分であり、他方において、蒸発室の両側部が、ほぼ直線状で、蒸発室の両側部が、プレートの先端から離れるに従って、次第に広がる形で、互いに狭まるように、比例している。本発明の目的である改良点の一つは、蒸発室とアイロンがけプレートとの間に、上記スペイン特許出願とは異なる相対的形状をもたらすことにある。
【００１４】
本発明の目的に関連し、本発明の一つの態様では、蒸気の蒸発室からアイロンがけプレートへの通路が、水平方向管体によりもたらされる。
【００１５】
本発明のもう一つの目的は、蒸発室の独特な内部構造を提供することにある。
【課題を解決するための手段】
【００１６】
先行技術の観点から、本発明の主構成は、蒸発室が、蒸発器の前部開口と一対の深い流路を介して連通する後部出口を有し、これらの流路は、蒸発器内に組み込まれ、蒸発室自体と両側部で平行にのびる点にある。こうすることにより、１個ではなく２個の流路を設けたことと、通路の深さを増大したこととが相まって、蒸気が流通する通路の断面の大きさが著しく増加することになる。さらに、２個の流路を設けたことにより、流路の一方が詰る、又は、局部的にかなり狭窄された場合でも、アイロンがけプレートへの蒸気の流通を確保するという手段も取れる。
【００１７】
しかしながら、蒸発器とアイロンがけプレートとの間に障害物を生じさせることなく、蒸気のよりよい流通を確保するため、本発明の一態様では、蒸発室の後部出口が、網目部材で閉じられ、この網目部材は、固定されており、前部開口と流路とは通路断面が適切に小である網目を有する。
【００１８】
蒸発室からの出口は、後部にあり、蒸気は、蒸発器の長さに沿って流れて前部開口に到達するので、阻害の可能性が減り、蒸発器全体に渡って均一な温度が得られるため、蒸気だけが、蒸発室から出て行き、蒸気と水とが放出されることがない。
【００１９】
本発明の別の態様では、蒸発器の前部開口が、蒸発器自体内に単一部品として形成された管体からなり、管体は、アイロンがけプレートに形成した対応する開口にはめ込まれることができ、管体は、外部に固定された水密ガスケットを備え、ガスケットは、蒸発器とアイロンがけプレートと間で機能して、圧力をかけられた高温下での作動に適した材料で形成される。こうすることにより、分離体（separator）として機能せず、むしろ圧力部品（compression piece）として機能する、単一のガスケットだけが、取り付けられる。このため、シリコーンよりも圧力下で問題なく機能し、さらに、高温に対して極めて耐性がある、フッ素含有エラストマー材料製のガスケットを用いることが可能となる。さらに、アイロンがけプレートへの蒸発器の組み付けが、直接的で（真ちゅうキャップのように、付加的な結合部品の使用を要しない）、アイロンがけ作業と温度変化とにより加わる応力によりよく耐える。
【００２０】
本発明のさらに別の態様では、アイロンがけプレートと蒸発器の自動温度調節手段が、主及び補助の温度プローブからなる。使用する温度プローブは、ＮＴＣ（ＮＴＣサーミスタ、すなわち負の温度係数を持つサーミスタとも呼ばれるセンサ）にしてよく、ＮＴＣは、今まで使用されていた伝統的な温度調節器に比べて、感度が高く、応答が早い。温度プローブがこうした特性を持つと、他の従来の家庭用スチームアイロンに比べて、アイロンがけの品質に反映する、精度と効率とが向上する。この点、蒸発器に直列接続した第３のバックアップ温度調節器を挿入することは公知である。蒸発器の第１温度調節器の反応が遅延すると、小型ポンプが、作動する毎に、すなわち、水が入る毎に、この温度調節器を短絡させて、蒸発器の発熱体を作動させる必要がある。さもないと、必ずしも全ての水が蒸発するとは限らず、蒸気と水の混合体が得られてしまう。一方、ＮＴＣプローブは、これら２個の従来の温度調節器（通常のもの及び補助バックアップ用のもの）の代用として用いるのに好適である。他方において、ＮＴＣプローブの使用により、アイロンの技術が電子化され、コンピュータプログラムを格納した制御チップと、アイロンの状態及び選択したアイロンがけモードに関する必要な情報を表示する表示画面との使用も可能になる。
【００２１】
本発明の別の態様によれば、アイロンがけプレートに設けた孔の数を減らし、矢じり形状をしたアイロンがけプレートの前部に集中させ、流路形状をした、
アイロンがけプレートの後部までのびる、通路中に開口することを特徴とする。こうすると、アイロンがけプレートの前部により、衣類の加湿が行われ、アイロンがけプレートの残りの部分を通過させながら、乾燥が行われるので、品質に優れたアイロンがけが得られる。
【００２２】
本発明の別の態様によれば、蒸発室の幅とアイロンがけプレートの幅との間の関係が、４分の３のオーダーであり、蒸発室の形状が、その両側部が、アイロンがけプレートの両側部と平行となるようになっている。こうした形状を取ることにより、蒸発室の容量を、相当に大きく増加できる。さらに、蒸発室の絶対幅（absolute width）が大きくなるにつれて、蒸発室の後部を閉じる網目部材を大きくできる。最終的に、石灰成分堆積容量が、著しく増加し、製品の使用寿命をのばす。
【００２３】
本発明の別の態様では、蒸発器の前部開口は、反対側の開放端が、アイロンがけプレートに設けた拡大室に挿入される縦方向管体からなり、縦方向管体は、好ましくはステンレス鋼製で、アイロンがけされる衣類と接する部材として、アイロンがけプレートの下面を覆う、板材で、下側が閉じられる。こうすると、アイロンがけプレートは、石灰成分の堆積による阻害を受けにくくなるので、極めて好都合であることが分かった。
【００２４】
この態様の変形態様では、蒸発器の前部開口が、反対側端が封止された縦方向管体を有し、この縦方向管体は、複数個の側部孔を備え、これらの側部孔は、アイロンがけプレートに設けた拡大室と連通し、好ましくはステンレス鋼製で、アイロンがけされる衣類と接する部材として、アイロンがけプレートの下面を覆う、板材で、下側が閉じられる。
【００２５】
本発明の別の態様では、蒸発室の内部には、少なくとも１個の仕切り壁が収容され、この仕切り壁は、蒸発室の全高さに渡ってのび、蒸発室の一方の側壁に付着しているが、反対側の側壁に到達していない。下記に示すように、好ましい実施の形態では、このような仕切り壁を２個備える。こうすると、アイロンがけプレートに向かう生成蒸気の流通が、直接的になるのが防止され、蒸発室内の全ての水が、蒸発してしまう、予め定めた温度に到達するまで、放出される蒸気が、蒸発段階で蒸気中に存在する液体状の水分を引き連れることがない。
【発明を実施するための最良の形態】
【００２６】
本発明の特質をよりよく理解できるように、添付図面には、好ましい製造形態を示してあるが、図示の形態は、単に例示的なものであり、本発明は、図示の形態に限定されるものではない。
【００２７】
添付図面及び添付図面に示した参照符号で示す図案は、家庭用スチームアイロンに関する発明の好ましい実施の形態の一つを示すもので、この家庭用スチームアイロンは、その全般的な構造として、アイロンがけをすべき衣類と接触するアイロンがけ部材、すなわちアイロンがけプレート（１）と、家庭用スチームアイロンに組み込まれた貯水部を源とする水を（図示していない超小型ポンプにより）供給され、蒸気が生成される蒸発室３を備える、蒸発部、すなわち蒸発器２であって、この蒸気が、蒸発器２の前部開口４を通ってアイロンがけプレート１に渡され、アイロンがけプレートに設けた複数個の孔１７を通って外部に放出されるものと、アイロンがけプレート１と蒸発器２とに割り当てられる、アイロンがけプレートと蒸発器用のそれぞれの発熱体５及び６と、アイロンがけプレート１と蒸発器２のそれぞれの温度用の自動温度調節器と、アイロンがけプレート１と蒸発器２とに組み付けられる、アイロンがけプレート及び蒸発器のそれぞれ用の温度ヒューズ９及び１０とからなる。
【００２８】
この全般的な構造は、図１に図示してあり、この図には、本発明の目的（図１に示した詳細を参照）が、示してあり、蒸発室３は、蒸発器２に組み込まれ、蒸発室３自体の両側部に沿ってのびる、一対の深い流路１２を介して蒸発室２の前部開口４と連通する後部出口１１を備える。こうして、蒸発室３で生成される蒸気は、そこから後部出口１１に移動し、蒸発室の両側にあり前部開口４に到達して終わる、両流路１２中を進み、アイロンがけプレート１に達してアイロンがけプレートの孔１７を通って放出される。このような構造により、蒸気を循環させる公知の構造よりも、状態が改善され、石灰成分の堆積による閉塞の可能性を低減し、最終的に、より効果的なアイロンがけ作業のために、適切かつ一定な蒸気供給を一層保証できる。
【００２９】
流路１２内、ひいては、前部開口４内で石灰スケールの堆積防止をより確実にするため、本発明の別の態様（図１及び図２）では、蒸発室３の後部出口１１が、固定網目部材１３で閉じられ、その網目は、前部開口４と流路１２とにおけるそれぞれの断面より適切に小さくされている。
【００３０】
本発明のさらに別の態様（図１及び図３）によれば、蒸発器２の前部開口４は、蒸発器２自体内に全体が形成された管体１４を備え、この管体は、アイロンがけプレート１の対応する開口１５に挿入してよく、管体１４の外部には、水密ガスケット１６が取り付けられ、この水密ガスケットは、蒸発器２とアイロンがけプレート１との間で機能し、高温下での押し付け作業に適した材料からなる。先に述べたように、この態様では、蒸発器２とアイロンがけプレート１とに同時に挿入される別体の真ちゅう製キャップを、高温では機能をよく発揮するが、押し付け中には機能を良く発揮しないシリコーン製ガスケットとともに使用する、公知の構造に代わる構造として好ましい、フッ素含有エラストマー材料製のガスケットを使用するものである。
【００３１】
図１にも示してある、本発明のさらに別の態様では、アイロンがけプレート１及び蒸発器２の温度を調節する自動温度調節器は、アイロンがけプレート及び蒸発器用のそれぞれの温度センサ７及び８からなる。上述したように、これらのセンサ７及び８は、精度良く迅速に作動し、蒸発器２用に公知タイプの別個のバックアップ自動温度調節器を使用することが不要になり、プログラム可能なマイクロプロセッサ（チップ）と複数個のＬＣＤ表示画面の使用が可能になって、どんな時点でも、スチームアイロンの作動状態を示すことができる。さらに、衣類それぞれに対して適正な温度を設定するのに当たり、極めて高精度で、より効率的かつ信頼性のあるアイロンがけをもたらし、アイロンがけ温度の変更を迅速に行うことができる。
【００３２】
本発明のさらに別の態様では、アイロンがけプレート１に設ける孔１７を、アイロンがけプレート１の矢じり形状の先端部に集中させて数を減らして設け、それぞれが流路１８の形をした、アイロンがけプレート１の後部までのびる、複数個の通路の開口となる特徴を有する。特に、図５に示す好ましい形態では、孔１７と流路１８とは、それぞれ７個であり、中央の３個の流路１８が、アイロンがけプレート１の最後尾から計ったアイロンがけプレート１の長さの約３分の１まで延び、残りの４個の流路１８が、アイロンがけプレートの長さの約４分の１まで延びている。
【００３３】
この態様によれば、衣類は、アイロンがけ作業の当初から、アイロンがけ作業に必要な蒸気を受け取ることができ、残りのアイロンがけ作業中、乾燥度合いが全乾燥（total  dryness）まで段階的に増加し、プロ並みの品質のアイロンがけ作業となる。
【００３４】
本発明のさらに別の態様(図１)では、蒸発室３とアイロンがけプレート１のそれぞれの幅間に存在する比率が、４分の３のオーダーであり、こうするため、蒸発室３の形状は、その両側部が、アイロンがけプレートの両側部と平行となるようになっている。先に略述したように、蒸発室３の容量がかなり増加することが視覚的に確認でき、図８に示されているように、既述の態様のものよりもかなり大きい網目部材１３による効果が得られ、水からの多量の石灰成分を蓄積でき、したがって、この種のアイロンの機能を損なう石灰成分を堆積することになり、製品としての使用寿命の長期化に役立つ。
【００３５】
本発明のさらに別の態様では、蒸発器２の前部開口４は、縦方向管体３ａからなり、縦方向管体の反対側端は、アイロンがけプレートに形成した拡大室１ａ中に開口する。拡大室は、好ましくはステンレス鋼製からなり、アイロンがけをすべき衣類と接触する部材としてのアイロンがけプレート１の下面を覆う板材１９で、下部が閉じられる。この構成を、図７に、特に拡大図で、明瞭に示してある。図中、ガスケット１６の位置も、たやすく判別できるようになっており、このガスケット位置により、流れてくる蒸気に対して、蒸発室３とアイロンがけプレート１との間の水密性がもたらされる。蒸気は、拡大室１ａを通って孔１７を介してアイロンがけプレート１の外部及びこれに対応する板材１９の箇所に、最終的に放出される。縦方向管体３ａの変形態様を、図９に示してある。
【００３６】
この変形態様として、本発明の別の態様では、蒸発器２の前部開口４が、縦方向導管３ｂからなる。この導管は、前部開口とは反対側の端部では閉塞されるとともに、複数個の側部孔３ｃが形成される。側部孔は、アイロンがけプレートに形成した拡大室１ａに連通し、下部では板材１９により閉じられる。板材１９は、好ましくはステンレス鋼製で、アイロンがけをすべき衣類と接触する部材として、アイロンがけプレート１の下面を覆う。この構成を、図１０に明確に示してある。
【００３７】
本発明の目的の一つである、この他の特徴は、蒸発室３の内部に、少なくとも１個の仕切り壁３ｄを設ける。仕切り壁は、蒸発室の高さ全体を占め、蒸発室の一方の側壁に付着しているが、反対側の側壁まではのびていない。この態様は、図８に明瞭に示してあり、同図では、仕切り壁３ｄが、２個設けられ、反対方向に配置され、蒸発室３の前部と後部出口１１の間で波型パターンをもたらす、好ましい態様が図示されている。
【図面の簡単な説明】
【００３８】
【図１】アイロンがけプレート１と蒸発器２とからなる組立て体を上から見た図であって、アイロンがけプレート１の上部は、前部が削除され、カバーが取り外された蒸発器２には、専用部品が組み込まれている状態で示してあり、蒸発器２の管体１４が、アイロンがけプレートの開口１５に挿入される状態は、拡大図で示してある。
【図２】図１の線ＩＩ−ＩＩにおける断面図であって、網目部材１３の拡大図である。
【図３】図１にＩＩＩで示す箇所の拡大図である。
【図４】図１におけるアイロンがけプレート１を上方から見た斜視図である。
【図５】本発明の一態様によるアイロンがけプレート１の下面の正面図である。
【図６】本発明による蒸発室３を備えた、本発明によるアイロンがけプレート１と本発明による蒸発器２とからなる組立て体を上から見た図である。
【図７】図６に示す線ＶＩＩ−ＶＩＩにおける断面図であって、縦方向導管３ｂと拡大室１ａに関しては、拡大図を示すものである。
【図８】図６に示した組立て体を示す斜視図であって、蒸発室３のカバーが取り外され、蒸発室の内部を見やすくしてあるものである。
【図９】蒸発室３をその下面から見た斜視図であって、縦方向導管３ｂの構造の変形態様を示す拡大図を含むものである。
【図１０】図９と同様な図であるが、縦方向導管３ｂの構造の別の変形態様を示す拡大図を含むものである。
【符号の説明】
【００３９】
添付図面には、下記の符号を用いてある。
１    アイロンがけプレート
１ａ  アイロンがけプレート１の蒸気拡大室
２    蒸発器
３    蒸発器２の蒸発室
３ａ  蒸発室３の縦方向管体
３ｂ  蒸発室３の縦方向導管
３ｃ  縦方向導管３ｂの側部孔
３ｄ  蒸発室３内の仕切り壁
４    蒸発器２の前部開口
５    第１発熱体であって、アイロンがけプレート用のもの
６    第２発熱体であって、蒸発器用のもの
７    第１温度センサであって、アイロンがけプレート用のもの
８    第２温度センサであって、蒸発器用のもの
９    第１温度ヒューズであって、アイロンがけプレート用のもの
１０  第２温度ヒューズであって、蒸発器用のもの
１１  蒸発室３の後部出口
１２  蒸発器２の流路
１３  後部出口に設ける網目部材
１４  蒸発器の管体
１５  アイロンがけプレートの開口
１６  ガスケット
１７  アイロンがけプレート１の孔
１８  アイロンがけプレート１に設ける流路
１９  好ましくはステンレス鋼製の板材
【図１】
2005211670.tif 000003
【図２】
2005211670.tif 000004
【図３】
2005211670.tif 000005
【図４】
2005211670.tif 000006
【図５】
2005211670.tif 000007
【図６】
2005211670.tif 000008
【図７】
2005211670.tif 000009
【図８】
2005211670.tif 000010
【図９】
2005211670.tif 000011
【図１０】
2005211670.tif 000012